(57)【要約】【課題】巻尺で軒樋の長さを測らずに、気温の変化による軒樋の寸法変化を考慮することもなく、施工を簡単に行うことができる軒樋等の雨樋を提供することを目的とする。【解決手段】樋継手に接続される軒樋１において、軒樋１の長手方向に沿って標準寸法の目盛り２が表示されている。【選択図】      図１
2005179920.tif 000002
【特許請求の範囲】
【請求項１】
樋継手に接続される雨樋において、雨樋の長手方向に沿って標準寸法の目盛りが表示されていることを特徴とする雨樋。
【発明の詳細な説明】
【技術分野】
【０００１】
本発明は、雨樋伸縮継手等の樋継手に接続される雨樋に関する。
【背景技術】
【０００２】
従来、軒先に取付けられる軒樋等の雨樋としては、２個の軒樋の端部に止水壁を設け、端部間に間隔を形成するようにして雨樋伸縮継手に接続するものが知られている（例えば、特許文献１を参照。）。
【０００３】
ところで、特許文献１に記載の軒樋においては、軒樋を接続するときに、巻尺等で軒樋の長さ寸法をいちいち測って施工しているが、樹脂製の軒樋は気温が変化すると熱収縮により長さが変化するために、伸縮を吸収する構造を有した雨樋伸縮継手を用いて施工をしていた。
【特許文献１】特開平７−３１７２４０号公報（第２図）
【発明の開示】
【発明が解決しようとする課題】
【０００４】
しかしながら、軒樋の長さ寸法を測って施工するときに、予め、季節の温度変化を考慮に入れて施工する必要がある。例えば、施工する時が夏期であれば、その気温が高くて軒樋が伸びた状態であるので、樋継手により接続する２本の軒樋の端部間の間隔を短めにし、逆に、気温の低い冬季であれば、端部間の間隔を長めにして施工する必要がある。その都度、軒樋の長さを測り、軒先に樋継手とともに軒樋の寸法変化を考慮に入れて施工しておりその作業が煩瑣であった。
【０００５】
本発明は、このような事情に鑑みて、巻尺で雨樋の長さを測らずに、しかも気温の変化による雨樋の寸法変化を考慮することなく、施工を簡単に行うことができる雨樋を提供することを目的としている。
【課題を解決するための手段】
【０００６】
このような目的を達成するために、本発明に係る雨樋は、雨樋継手に接続される雨樋において、雨樋の長手方向に沿って標準寸法の目盛りが表示されていることを特徴としている。
【０００７】
本発明において、雨樋としては軒樋又は竪樋のことであって、その材質としては、特に限定されるものではないが、例えば、硬質塩化ビニル樹脂、アクリル樹脂、ポリエチレン、ポリプロピレン、ポリカーボネート、ＡＢＳ樹脂、ＡＥＳ樹脂（ＡＢＳ樹脂の耐気候性を向上させるためにゴム成分にＥＰゴムを使用した樹脂）のような合成樹脂の他、ポリフェニレンサルファイドのようなエンジニアリングプラスチックが挙げられ、これらの材質を適宜組合わせて使用してもよい。
【０００８】
本発明において、雨樋の長手方向に沿って表示される標準寸法の目盛としては、特に限定されるものではないが、例えば、標準温度で雨樋製品の状態にした後、目盛りを印刷あるいは刻印により表示してもよい。
また、雨樋製品の温度を測定し、標準温度との温度差及び線膨脹率から算出し、換算された間隔の目盛りを表示しもよい。
【発明の効果】
【０００９】
請求項１の雨樋によれば、雨樋の長手方向に沿って標準寸法の目盛りが表示されているので、季節の温度の変動を考慮に入れなくても容易に施工することができ、施工ミスを減らすことができる。また、巻尺でいちいち長さを測る必要がないので、施工に余分の手間を取らせることがない。
【発明を実施するための最良の形態】
【００１０】
次に、本発明の実施の形態の一例を、図１〜２に基づいて説明する。  
【００１１】
図１は本発明の雨樋が軒樋である一例を示す斜視図である。
【００１２】
図１において、１は軒樋で、内面側に長手方向に沿って標準寸法の目盛り２が表示されている。この軒樋１は軒先に長手方向端部を互いに突き合わせた状態で熱伸縮吸収の構造を有した樋継手（図示しない）を介して配設されるものである。
【００１３】
軒樋１は押出機により押出されて成形された押出成形品であり、本体部が平坦な底壁１１の前側部から前側壁１２が立設され、かつ底壁１１の後側部から後側壁１３が立設された溝形断面に形成されている。
前側壁１２は、中程が張り出すように張出部が形成されており、上部前壁１２１と下部前壁１２２からなる。
【００１４】
下部前壁１２２は、底壁１１から屋外側に広がるように立ち上げられ、上部前壁１２１は張出部から屋内側に向けて傾斜して形成されている。そして、軒樋１の上部前壁１２１には、その長手方向に沿って標準寸法の目盛２が印刷されている。
【００１５】
また、前記前側壁１２の上端には前耳１４が形成されており、この前耳１４の内面側に溝１４１が形成されている。そして、後側壁１３の上端には後耳１５が形成されており、この後耳１５は、外方に向けて突出された係止突起１５１が形成されている。
尚、前記前耳１４の溝１４１及び後耳１５の係止突起１５１は、軒樋１を図示しない雨樋吊具に取り付ける際の取付用溝と突起となる。
【００１６】
上記の軒樋１において、標準寸法の目盛２を印刷するには、軒樋１を標準温度（例えば２５℃）に近い状態に保たれた環境の部屋に長時間保管して、その時の軒樋１の表面温度を測定して標準温度との温度差がなければ標準寸法目盛り２を印刷すればよい。
また、温度調節のされていない保管庫にある軒樋１については、その都度、軒樋１の表面温度を測定して標準温度との温度差があれば、標準温度との温度差及び線膨脹率から算出し、換算された間隔の目盛り２を表示しもよい。
【００１７】
上記の軒樋１において、雨樋伸縮継手ととも接続して軒先に取付けるには、雨樋伸縮継手間の設計寸法（又は施工現場で原寸測定した距離）に合わせ、軒樋１に表示されている標準寸法の目盛り２に従って切断して、伸縮継手に接続すればよい。このように、軒樋１の表示されている標準寸法の目盛り２に従って、切断・施工することができることから、寸法を測る手間が省けるとともに、施工時の環境温度との違いによる寸法変化を考慮せずに伸縮継手への接続を行うことができる。
【００１８】
図２は雨樋が竪樋である一例を示す斜視図である。
【００１９】
図２において、１Ａは竪樋１Ａであって、その外面側に長手方向に沿って標準寸法の目盛り２ａが表示されている。この竪樋１Ａは軒先に取付けられた軒樋１の下方に向けて外壁に取り付けられもので、長手方向の端部を互いに突き合わせた状態で熱伸縮吸収の構造を有した樋継手（図示しない）に接続して取付けられるものである。
【００２０】
竪樋１Ａは角筒状に押し出された押出成形品であり、竪樋１Ａの外面側には、その長手方向に沿って標準寸法の目盛２ａが印刷されている。標準寸法の目盛２ａを表示する方法は、上記で説明した軒樋１の場合と同じである。このように、竪樋１Ａに外側面に表示されている標準寸法の目盛り２ａに従って、切断・施工することができることから、寸法を測る手間が省けるとともに、施工時の環境温度との違いによる寸法変化を考慮せずに雨樋伸縮継手への接続を行うことができる。
【００２１】
以上、本発明の実施例を図面に基づいて説明してきたが、具体的な構成はこの実施例に限られるものではなく本発明の要旨を逸脱しない範囲の設計変更等があっても本発明に含まれる。
【図面の簡単な説明】
【００２２】
【図１】本発明の雨水が軒樋である一例を示す斜視図である。
【図２】本発明の雨水が竪樋である一例を示す斜視図である。
【符号の説明】
【００２３】
１Ａ          軒樋
１Ｂ          竪樋                                                              ２ａ、２ｂ    目盛り
【図１】
2005179920.tif 000003
【図２】
2005179920.tif 000004